(57)【要約】  ストマに装着するフランジ（１１）と、袋状に形成され、下端に排出口（１４ａ）が設けられたパウチ（１２）とを有するストマ用装具のカバー（１）において、袋体（２）に、フランジ（１１）とパウチ（１２）の連結部（１７）を挿通可能とする挿通孔（３）と、挿通孔（３）が設けられている側とは反対となる側の下部に、パウチ（１２）を取り出し可能とする取り出し部（４）とを設けたことにより、パウチ（１２）が袋体（２）の中で安定するので活動しやすい。また、排出口（１４ａ）をカバー（１）の外側へ取り出して、排泄物を便器内へ容易に流すことができるので、外出先でもトイレを利用して容易に処理することができる。よって、ストマ用装具を装着していることを気にすることなく外出したり、仕事に従事したりすることができる。【特許請求の範囲】
【請求項１】
ストマに装着するフランジと、袋状に形成され下端に排出口が設けられたパウチとを有するストマ用装具のカバーにおいて、
袋体に、前記フランジと前記パウチの連結部を挿通可能とする挿通孔と、
前記挿通孔が設けられている側とは反対となる側の下部に、前記パウチを取り出し可能とする取り出し部とを設けたことを特徴とするストマ用装具のカバー。
【請求項２】
排泄物を溜める大径の貯留部と、前記排泄物を前記排出口へ導出する小径の排出部と、前記排出部に取り付けて前記排出口から排泄物が流出することを抑止する止め具とを備えた前記パウチとしたときに、
前記袋体の上下方向の長さは、前記貯留部の長さに形成されたものであり、
前記取り出し部は、前記排出部を折り返した状態で前記止め具が位置するところに設けられていることを特徴とする請求項１記載のストマ用装具のカバー。
【請求項３】
前記袋体は、前記挿通孔が設けられた面であるストマ側面部と、前記ストマ側面部の反対側の面であり、上側となる外側上面部および下側となる外側下面部とを備え、
前記外側上面部が前記外側下面部の上となるように一部を重ねて設けられ、
前記外側上面部と、前記外側下面部との間を前記取り出し部としたことを特徴とする請求項１記載のストマ用装具のカバー。
【請求項４】
前記パウチに設けられた排気用の通気部が位置するところの前記袋体に、消臭作用のある布を複数枚重ねて形成された消臭部を設けたことを特徴とする請求項１記載のストマ用装具のカバー。
【請求項５】
前記袋体は、消臭作用のある布で形成されていることを特徴とする請求項１記載のストマ用装具のカバー。
【請求項６】
前記袋体に前記パウチを収納した状態で、前記袋体の上から前記パウチを狭持するクリップを備えたことを特徴とする請求項１記載のストマ用装具のカバー。
【請求項７】
前記袋体には、前記フランジに接着する粘着シートが設けられていることを特徴とする請求項１記載のストマ用装具のカバー。
【請求項８】
前記袋体の上部内側面に、芯地を設けたことを特徴とする請求項１記載のストマ用装具のカバー。
【請求項９】
前記袋体は、前記取り出し部が形成された側の面が、体表面に対して外側に向かって膨らむように形成されていることを特徴とする請求項１記載のストマ用装具のカバー。
【発明の詳細な説明】
【技術分野】
【０００１】
本発明は、体に設けられたストマ（人工肛門）からの排泄物を溜めるストマ用装具を覆うカバーに関する。
【背景技術】
【０００２】
直腸切除や閉塞症状に対する処置として、腸管を体外に引き出し、内容物を排出できるように人為的な肛門を造設する場合がある。この人為的な肛門を人工肛門またはストマと呼び、回腸人工肛門（イレオストミー）、上行結腸人工肛門、横行結腸人工肛門、下行結腸人工肛門、Ｓ状結腸人工肛門など腸管を引き出す箇所は、上腹部から下腹部まで手術した箇所に応じて様々である。【０００３】
このストマから排出される排泄物を溜めるストマ用装具がある。このストマ用装具は、ストマに接着して固定されるフランジと、ビニールフィルムを袋状に形成して排泄物を溜めるパウチと、パウチの下端に設けられた排出口を封止する止め具とを備えたものである。装着者は、このストマ用装具をストマに装着して日常生活を送っている。【０００４】
このようなストマ用装具のカバーが特許文献１および２に提案されている。
特許文献１に記載のストマ用装具のカバーは、脱臭剤を含浸させた紙、不織布、ビニールを円筒状に形成して、ストマ用装具を覆うように形成したものである。【０００５】
特許文献２に記載のストマ用装具のカバーは、人体の腰に巻回して固定する引き止め部と、この引き止め部に設けられた懸吊部とを備え、懸吊部にはパウチ連結部を挿通可能とする挿通孔を設け、挿通孔近傍にパウチを収納する袋状部を設け、挿通孔と袋状部とを遮蔽する天ブタ部が設けられたものである。【０００６】
【特許文献１】実開昭６２−９９２１９号公報
【特許文献２】特開平１０−３３５７９号公報
【発明の開示】
【発明が解決しようとする課題】
【０００７】
しかし、特許文献１に記載のストマ用装具カバーは、筒状に形成されているので、体を動かすと、排泄物が溜まったパウチが振り子のように揺動してしまい安定しない。【０００８】
また特許文献２に記載のストマ用装置のカバーは、袋状部がパウチを安定して保持すると思われる。しかし、パウチに排泄物が溜まり、その排泄物をパウチから捨てる際には、パウチの下端を持ち上げるようにして袋状部からパウチを取り出すことになる。そうなると、パウチを中央付近で折り曲げることになるので、その変形により排泄物が流動して、勢いで排出口から排泄物が漏れる可能性がある。また、排泄物が溜まったパウチは重量があるとともにガスが溜まって膨らんでいるので、袋状部から取り出し難い。従って、パウチから排泄物を捨てにくいので、装着者は外出を控えたり、仕事に従事できなくなったりして活動範囲が狭くなってしまう。【０００９】
そこで、本発明においては、体を動かしてもパウチが安定するとともに、パウチに排泄物が溜まったときにもパウチから排泄物の排出が容易に行えることで、外出や仕事の従事を容易とするストマ用装具のカバーを提供することを目的とする。
【課題を解決するための手段】
【００１０】
本発明のストマ用装具のカバーは、ストマに装着するフランジと、袋状に形成され下端に排出口が設けられたパウチとを有するストマ用装具のカバーにおいて、袋体に、前記フランジと前記パウチの連結部を挿通可能とする挿通孔と、前記挿通孔が設けられている側とは反対となる側の下部に、前記パウチを取り出し可能とする取り出し部とを設けたことを特徴としたものである。【００１１】
袋体に、フランジとパウチの連結部が挿通可能な挿通孔を設けたことで、カバーの袋体とストマ装具の位置関係が固定された状態で、パウチが袋体に収納される。従って、体を動かしても袋体がパウチの揺動を規制するので安定する。また、挿通孔が設けられている側とは反対となる側の下部に取り出し部を設けているので、この取り出し部からパウチの下部部分だけを取り出することができる。従って、パウチに溜まった排泄物を捨てるときには、取り出し部からパウチの下部部分を取り出して、パウチの下端に設けられた排出口から排泄物を容易に排出させることができる。【００１２】
排泄物を溜める大径の貯留部と、前記排泄物を前記排出口へ導出する小径の排出部と、前記排出部に取り付けて前記排出口から排泄物が流出することを抑止する止め具とを備えた前記パウチとしたときに、前記袋体の上下方向の長さは、前記貯留部の長さに形成されたものであり、前記取り付け部は、前記排出部を折り返した状態で前記止め具が位置するところに設けるのが望ましい。【００１３】
袋体の上下方向の長さを貯留部の長さとすることで、パウチは排出部を折り返した状態で袋体に収納されることになる。パウチの排出部を折り返した状態で袋体に収納すると、排泄物が溜まって重たくなった貯留部を、袋体の下側の内側面で担持するのでパウチを安定した状態とすることができる。また、取り出し部を、排出部を折り返した状態で止め具が位置するところに設けている。従って貯留部に溜まった排泄物を排出する際に、取り出し部へ手を挿入させると、止め具が位置しているので止め具が取り出しやすい。つまり、貯留部に溜まった排泄物を排出する際に、衣類の裾から手探りで取り出し部を探すような状態でも、取り出し部に手がかかれば、取り出し部に手を挿入して、止め具を容易に取り出すことができる。【００１４】
前記袋体は、前記挿通孔が設けられた面であるストマ側面部と、前記ストマ側面部の反対側の面であり、上側となる外側上面部および下側となる外側下面部とを備え、前記外側上面部が前記外側下面部の上となるように一部を重ねて設けられ、前記外側上面部と、前記外側下面部との間を前記取り出し部とするのが望ましい。【００１５】
衣服を着た状態で体を動かしても、外側上面部が上となるように、外側上面部と外側下面部との一部を重ねているので、衣服の裾が上下に動いたとしても取り出し部に裾が引っかからない。【００１６】
また、前記パウチに設けられた排気用の通気部が位置するところの前記袋体に、消臭作用のある布を複数枚重ねて形成された消臭部を設けているので、ストマから排出される臭気を帯びたガスや、パウチに溜まった排泄物からの臭気が通気部から放散されても、消臭部の布の消臭作用によりガスを無臭とすることができるので、周囲に臭気が拡散することが防止できる。【００１７】
また、前記袋体は、消臭作用のある布で形成されていてもよい。袋体全体を消臭作用のある布で形成すると、袋体全体でパウチから排出されるガスを無臭とすることができる。【００１８】
前記袋体に前記パウチを収納した状態で、前記袋体の上から前記パウチを狭持するクリップを備えるのが望ましい。徐々に排泄物がパウチに溜まっていき振り子のように揺動しやすい状態となっても、クリップで袋体の上からパウチを狭持しているので、クリップがパウチの揺動を規制することができる。【００１９】
前記袋体には、前記フランジに接着する粘着シートが設けられているのが望ましい。袋体に、フランジに接着する粘着シートを設けることで、体表面に密着した状態に装着されたフランジと袋体とを密着した状態とすることができるので、体表面に袋体を密着させることができる。【００２０】
前記袋体の上部内側面に、芯地を設けるのが望ましい。袋体は、体表面に接するものなので、体が動くごとに袋体表面と擦れる。従って、袋体は肌触りよい柔らかな材質のものが好ましい。しかしそのような材質のものは、一般的には腰が弱く体に装着した状態で袋体の外形を保つことが困難である。従って、袋体の上部内側面に芯地を設けることで、芯地が適度な硬さで袋体の上部の折れや皺の発生を防止して、型崩れを防止する。また、芯地が袋体の上部の変形を抑止することで、袋体の下部の型崩れも防止することができる。【００２１】
前記袋体は、前記取り出し部が形成された側の面が、体表面に対して外側に向かって膨らむように形成されているのが望ましい。袋体の取り出し部が形成された側の面が、体表面に対して外側に向かって膨らむように形成されていることで、パウチに排泄物が溜まって厚みが厚くなっても、パウチと袋体との間に空間を確保することで余裕ができる。従って、パウチの厚みが厚くなっても袋体を押し上げるように膨れることが防止できる。
【発明の効果】
【００２２】
本発明のストマ用装具のカバーによれば、以下の効果を奏す。【００２３】
（１）袋体に、フランジとパウチの連結部を挿通可能とする挿通孔と、挿通孔が設けられている側とは反対となる側の下部に、パウチを取り出し可能とする取り出し部とを設けたことにより、パウチが袋体の中で安定するので活動しやすい。また、パウチの下端に設けられた排出口をカバーの外側へ容易に出せるので、排泄物が溜まったパウチを持ち上げる必要がなく、取り出す際のパウチの折り曲げで、排出口から排泄物を漏らす心配がない。そして、排出口をカバーの外側へ取り出して、排泄物を便器内へ容易に流すことができるので、外出先でもトイレを利用して容易に処理することができる。よって、ストマ用装具を装着していることを気にすることなく外出したり、仕事に従事したりすることができる。【００２４】
（２）排泄物を溜める大径の貯留部と、排泄物を排出口へ導出する小径の排出部と、排出部に取り付けて排出口から排泄物が流出することを抑止する止め具とを備えたパウチとしたときに、袋体の上下方向の長さは、貯留部の長さに形成されたものとしているので、体を動かすことで排泄物が溜まったパウチが揺動しても袋体の下側の内側面で担持される。よって、安定性を更に向上させたストマ用装具のカバーとすることができる。また、取り付け部は、排出部を折り返した状態で止め具が位置するところに設けられているので、容易に取り出し部から止め具を取り出せるとともに、排出部を取り出すことができる。よって、ストマ用装具が衣服の内側となって見えない状態でも、取り付け部が手探りで見つかれば直ぐに止め具を袋体の中で手探りすることなく探せ、取り出すことができる。【００２５】
（３）袋体は、挿通孔が設けられた面であるストマ側面部と、ストマ側面部の反対側の面であり、上側となる外側上面部および下側となる外側下面部とを備え、外側上面部が外側下面部の上となるように一部を重ねて設けられ、外側上面部と、外側下面部との間を取り出し部としたことにより、衣服の裾が上下に動いたとしても取り出し部に裾が引っかからないので、体が動かしやすく、ストマ用装具を装着していることが気にならない。【００２６】
（４）パウチに設けられた排気用の通気部が位置するところの袋体に、消臭作用のある布を複数枚重ねて形成された消臭部を設けたことにより、ストマから排出される臭気を帯びたガスや、パウチに溜まった排泄物からの臭気を消臭部が消臭するので、外出して人と会うときや仕事をしているときに、周囲の人に気を使うことなく安心して買い物や会話を楽しむことができる。【００２７】
（５）袋体は、消臭作用のある布で形成されていることにより、袋体全体でパウチから排出されるガスを無臭とすることができるので、より高い消臭作用を得ることができる。また、排気用の通気部の位置が異なるパウチであっても、袋体全体が消臭作用のある布で形成されているので、収納するストマ用装具を選択する際に、通気部の位置を気にすることなく選択することができる。【００２８】
（６）袋体にパウチを収納した状態で、袋体の上から前記パウチを狭持するクリップを備えたことにより、クリップがパウチの揺動を規制することができるので、パウチに排泄物が溜まりパウチの重量が重くなった状態で体を動かしても、パウチを安定させることができる。よって、安心して外出したり、仕事に従事したりすることができる。【００２９】
（７）袋体には、フランジに接着する粘着シートが設けられていることで、袋体とフランジとの間を隙間なく密着させた状態とすることができるので、体が揺れても本発明のストマ用装具のカバーが体と一体となって揺れる。よって、使用者は、本発明のストマ用装具のカバーを装着しても違和感を感じないので、安心して外出したり、仕事に従事したりすることができる。【００３０】
（８）袋体の上部内側面に芯地を設けることで、袋体の上部の型崩れを防止できるだけでなく、袋体の下部までも型崩れが防止できるので、本発明のストマ用装具のカバーを装着したときに、服に擦れても折れ曲がるようなことがない。よって、心地よい装着感を得ることができる。【００３１】
（９）袋体の取り出し部が形成された側の面が、体表面に対して外側に向かって膨らむように形成されていることで、排泄物がパウチに溜まって厚みが厚くなっても、パウチが袋体を押し上げるように膨れることが防止できる。従って、パウチに多くの排泄物が溜まりパウチの厚みが厚くなってもパウチに負担がかかない。
【図面の簡単な説明】
【００３２】
【図１Ａ】本発明の実施の形態１に係るストマ用装具のカバーを説明する図であり、挿通孔側から見た斜視図である。
【図１Ｂ】本発明の実施の形態１に係るストマ用装具のカバーを説明する図であり、パウチを取り出す取り出し部側から見た斜視図である。
【図２Ａ】本発明の実施の形態１に係るストマ用装具のカバーに収納されるストマ用装具の一例を示す図であり、体表面側から見た図である。
【図２Ｂ】本発明の実施の形態１に係るストマ用装具のカバーに収納されるストマ用装具の一例を示す図であり、図２Ａの反対面側から見た図である。
【図３】止め具を説明する図である。
【図４】ストマ用装具を本発明の実施の形態１に係るカバーに収納した状態を説明する図である。
【図５】ストマ用装具を本発明の実施の形態１に係るカバーに収納してストマに装着した状態の断面図である。
【図６Ａ】本発明の実施の形態２に係るストマ用装具のカバーを説明する図であり、挿通孔側から見た斜視図である。
【図６Ｂ】本発明の実施の形態２に係るストマ用装具のカバーを説明する図であり、パウチを取り出す取り出し部側から見た斜視図である。
【図７】ストマ用装具を本発明の実施の形態２に係るカバーに収納してストマに装着した状態の断面図である。
【図８】本発明の実施の形態２に係るクリップを説明する図である。
【図９Ａ】本発明の実施の形態３に係るストマ用装具のカバーを説明する図であり、挿通孔側から見た斜視図である。
【図９Ｂ】本発明の実施の形態３に係るストマ用装具のカバーを説明する図であり、パウチを取り出す取り出し部側から見た斜視図である。
【図１０】ストマ用装具を本発明の実施の形態３に係るカバーに収納してストマに装着した状態の断面図である。
【符号の説明】
【００３３】
１  カバー
２  袋体
２ａ  ストマ側面部
２ｂ  外側上面部
２ｃ  外側下面部
２ｄ  消臭面部
３  挿通孔
３ａ  縁部
４  取り出し部
１０  ストマ用装具
１１  フランジ
１１ａ  粘着層
１２  パウチ
１３  貯留部
１４  排出部
１４ａ  排出口
１５  通気部
１６  止め具
１７  連結部
２０  体表面
３０  カバー
３１  芯地
３１ａ  切り欠き部
３２  粘着シート
３３  クリップ
３３ａ  本体部
３３ｂ  押圧カバー
３３ｃ  折曲部
３３ｄ  上下挟持片
３３ｅ  押圧爪
３３ｆ  折曲部
３３ｇ  上下押圧片
３３ｈ  ガイド溝
３３ｊ  ガイド爪
４０  カバー
４１  袋体
４１ａ  外側上面部
４１ｂ  外側下面部
【発明を実施するための最良の形態】
【００３４】
（実施の形態１）
本発明の実施の形態１に係るストマ用装具のカバーを図に基づいて説明する。図１Ａは、本発明の実施の形態１に係るストマ用装具のカバーを説明する図であり、挿通孔側から見た斜視図である。図１Ｂは、本発明の実施の形態１に係るストマ用装具のカバーを説明する図であり、パウチを取り出す取り出し部側から見た斜視図である。図２Ａは、本発明の実施の形態１に係るストマ用装具のカバーに収納されるストマ用装具の一例を示す図であり、体表面側から見た図である。図２Ｂは、本発明の実施の形態１に係るストマ用装具のカバーに収納されるストマ用装具の一例を示す図であり、図２Ａの反対面側から見た図である。図３は、止め具を説明する図である。【００３５】
まず、ストマ用装具を説明した後に、本発明の実施の形態１に係るストマ用装具のカバーを説明する。【００３６】
図２Ａおよび図２Ｂに示すように、ストマ用装具１０は、ストマへ粘着固定されるフランジ１１と、排泄物を溜めるパウチ１２とを備えている。このストマ用装具１０は、下端開放型であり、フランジ１１がパウチ１２から外れないワンピース型である。【００３７】
フランジ１１は、リング状に形成された体表面と接する面には粘着層１１ａが形成され、ストマへ固定される。パウチ１２は、大径とした貯留部１３と、小径の排出部１４とが設けられており、透明のフィルム状部材を貼り合わせ、下端に排泄物を排出するための排出口１４ａが設けられた袋である。また、このパウチ１２の体表面と接する側には、体表面とパウチ１２との接触によるべたつき感や、蒸れを防止するため不織布が配設されることもある。【００３８】
パウチ１２には、フランジ１１の取り付け位置より高い位置にパウチ１２に溜まったガスを排出する通気部１５が設けられている。この通気部１５の位置は、メーカによって異なるが、このストマ用装具１０を通常使用する状態で、フランジ１１の開口より上側となるようにしている。これは、フランジ１１の開口と対向した位置または開口より下側に位置すると通気部１５のフィルタが排泄物により汚染され易いからである。【００３９】
使用状態では排出部１４には、図３に示すような止め具１６を用いて排出口１４ａを封止する。止め具１６は、プラスチックで成形され、全体が体表面の曲面に沿うように湾曲している。止め具１６は、断面を略Ｕ字状に形成された受け部１６ａと、受け部１６ａの間に挿入する挿入部１６ｂとを備えている。この受け部１６ａと挿入部１６ｂとで、図２Ａおよび図２Ｂに示すストマ用装具１０の排出部１４を挟むようにして排出口から排泄物の流出を抑止する。【００４０】
以上のようなストマ用装具を覆う本実施の形態１のストマ用装具のカバーを、図１Ａおよび図１Ｂに基づいて説明する。【００４１】
図１Ａおよび図１Ｂに示すように、ストマ用装具のカバー１は、袋体２に、挿通孔３と、取り出し部４とが設けられている。【００４２】
袋体２は、輪郭略矩形状に形成されており、袋体２の上下方向、つまり縦方向となる長さは、図２Ａおよび図２Ｂに示される貯留部１３の長さと略等しくなるように形成されている。貯留部１３の長さとは、貯留部１３が徐々に狭くなって排出部１４と接続する部分までの長さをいう。袋体２の上下方向の長さを、貯留部１３が徐々に狭くなり排出部１４と接続する部分までの長さとすることで、袋体２にパウチ１２を収納したときに、排出部１４を折り返して収納することが容易にできる。また排出部１４を折り返して収納したときに、排泄物が溜まった貯留部１３の徐々に狭くなる部分が、袋体２の下端の内側面に担持されることになるので、パウチ１２が袋体２の中で安定する。【００４３】
本実施の形態１では、袋体２の大きさを縦に約２０５ｍｍ、横に約１５０ｍｍとしている。袋体２は、消臭作用のある綿布で形成されている。この消臭作用のある綿布は、例えば、放射線グラフト重合を用いて、重合性ビニルモノマーをグラフト重合させたものを使用するのが望ましい。【００４４】
このようなグラフト重合させた綿布の他に、活性炭を内包させたり、市販の消臭スプレーを塗布した布でも消臭作用を有する綿布であれば使用することができる。また、袋体２は、消臭作用を有していれば、ニットや不織布でも形成することができる。【００４５】
挿通孔３の直径は、フランジ１１とパウチ１２の連結部１７（図５参照）が挿通可能な大きさとしており、約８ｃｍ程度としている。また挿通孔３の縁部３ａは、袋体２を形成する綿布がストマ用装具の連結部１７と擦れてほつれないように、別布で縁取りされている。【００４６】
袋体２は、挿通孔３が設けられた面であるストマ側面部２ａと、ストマ側面部２ａの反対側の面であり、上側となる外側上面部２ｂおよび下側となる外側下面部２ｃとを備えている。外側上面部２ｂと、外側下面部２ｃとを、外側上面部２ｂが上となるように一部を重ねて設けると、外側上面部２ｂと、外側下面部２ｃとの間が取り出し部４となる。【００４７】
取り出し部４は、挿通孔３が設けられているストマ側面部２ａとは反対側の下部に設けられている。これは、図２Ａおよび図２Ｂに示されるストマ用装具１０を収納したときに、排出部１４を折り返した状態で止め具１６が位置するところである。
本実施の形態１では、外側上面部２ｂの縦の長さを約１５０ｍｍに形成し、外側下面部２ｃの縦の長さを約８５ｍｍに形成しているので、約３０ｍｍ程度重なるようにしているが、２０ｍｍから３５ｍｍ程度であればよい。重なりが２０ｍｍより短いと、外側下面部２ｃが捲れて外側上面部２ｂの上になったり、貯留部１３に徐々に排泄物が溜まってくると取り出し部４が開いた状態となったりすることがある。また重なりが３５ｍｍより長いと取り出し部４から止め具１６が取り出し難くなる。【００４８】
また、外側上面部２ｂを長くし、外側下面部２ｃを短くすると、取り出し部４の位置を下げることができる。同様に、外側上面部２ｂを短くし、外側下面部２ｃを長くすると、取り出し部４の位置を高くすることができる。この取り出し部４の位置となる外側上面部２ｂの下端は、外側上面部２ｂと外側下面部２ｃとが重なる部分の長さをそのままにしつつ、袋体２の下端から４０ｍｍから８０ｍｍの間とするのが望ましい。この取り出し部４の位置が、袋体２の下端から４０ｍｍより短いと、貯留部１３に徐々に排泄物が溜まってくると取り出し部４が開いた状態となったりすることがある。また、取り出し部４の位置が、袋体２の下端から８０ｍｍより長いと、取り出し部４から止め具１６が取り出し難くなる。【００４９】
また袋体２には、外側上面部２ｂの内側に、外側上面部２ｂと重なるように、消臭面部２ｄが設けられている。この消臭面部２ｄも消臭作用のある綿布で形成されている。また、パウチ１２の通気部１５が位置するところに設けられている。外側上面部２ｂと消臭面部２ｄとで消臭作用のある綿布を二重とした消臭部となる。パウチ１２の通気部１５が位置するところに、消臭作用のある綿布を二重にしているので、消臭作用を更に向上させることができる。消臭作用が不足するようであれば、三重以上と、更に消臭作用のある綿布を重ねて設けることも可能である。また外側上面部２ｂの内側に設けているので、体を動かして衣服が動いても消臭面部２ｄが邪魔にならない。また、消臭面部２ｄは、挿通孔３の上側部分を覆う広さを有しているので、様々なメーカから提供される通気部の配設位置が異なるパウチに対応させることができる。【００５０】
以上のように構成される本発明の実施の形態１に係るストマ用装具のカバーの使用状態を図に基づいて説明する。図４は、ストマ用装具を本発明の実施の形態１に係るカバーに収納した状態を説明する図である。図５は、ストマ用装具を本発明の実施の形態１に係るカバーに収納してストマに装着した状態の断面図である。【００５１】
図２Ａおよび図２Ｂに示すストマ用装具１０の排出部１４に止め具１６を取り付ける。次に、手を図１Ａおよび図１Ｂに示すカバー１の取り出し部４から入れ、挿通孔３から出し、止め具１６を持ってパウチ１２を引き込むようにして、パウチ１２を挿通孔３から袋体２の中へ入れる。その際、取り出し部４からパウチ１２の下側を出した状態で、パウチ１２の貯留部１３が折り重ならないように全体を整える。取り出し部４からパウチ１２の下側を外に出した状態としても、外側上面部２ｂと外側下面部２ｃとの重なりが、外側上面部２ｂが外側下面部２ｃの上となるようにしているので、パウチ１２が取り出し部４に引っかかることなく、取り出し部４からパウチ１２の下側を出すことができる。最後に、止め具１６を持ち、排出部１４を折り返した状態で取り出し部４から袋体２の中へ入れ収納する。このときの状態を図４に示す。図４に示すように、ストマ用装具１０は、排出部１４を折り返して収納されているので、パウチ１２は輪郭略矩形状となる。従って、袋体２の輪郭と合致した関係とすることができるので安定して収納することができる。【００５２】
以上のようにしてストマ用装具１０をカバー１に収納した後、図５に示すように、ストマ用装具１０のフランジ１１をストマが造設された体表面２０へ装着する。【００５３】
そして、ストマから排泄物が排出されるにつれて、パウチ１２の貯留部１３が膨らむとともに重量が重くなる。その状態で体を動かしても、袋体２がパウチ１２の揺動を規制するので安定する。また、パウチ１２の排出部１４を折り返した状態で袋体２に収納しているので、袋体２の下側の内側面で、排泄物が溜まって重たくなった貯留部１３を担持する。従って、パウチ１２を安定した状態とすることができる。【００５４】
例えば、このストマ用装具１０をカバー１に収納せずにストマに装着すると、排出部１４が貯留部１３の下側に位置した状態となる。この状態でストマが下腹部に造設されていると、外出したときなど歩行する際に、排泄物で重量が重くなったストマ用装具１０の止め具１６が太ももに当たって歩行の支障となる。カバー１は、袋体２の長さを、ストマ用装具１０の貯留部１３の長さとしているので、排出部１４を折り返した状態で収納することとなるため、全体として長さが短くなる。従って、太ももに当たらないので歩行しやすい。【００５５】
また、ストマからは排泄物の他にガスが排出される。貯留部１３に溜まったガスは、通気部１５から排出される。このガスは臭気を帯びている。このガスは、通気部１５が位置するところに設けられた外側上面部２ｂと消臭面部２ｄとを通過して袋体２から周囲に放散されるので、通過の際にガスの臭気が脱臭される。また外側上面部２ｂと消臭面部２ｄとの二重構造としているので、脱臭効果は２倍である。この消臭作用のある綿布は、通気部１５が位置するところのみ使用してもよいが、体を激しく動かした際に排出口１４ａから万が一排泄物が漏れた場合を考慮すると、袋体２全体に消臭作用のある綿布を使用するのが望ましい。【００５６】
貯留部１３内に排泄物が溜まって捨てる場合には、衣服の下から取り出し部４を探して手を入れる。取り出し部４は、袋体２の下部であり、パウチ１２の排出部１４を折り返した状態で止め具１６が位置するところに設けられているので、取り出し部４から手入れると直ぐに止め具１６を見つけることができる。【００５７】
そして、止め具１６を持ってパウチ１２の下部部分である排出部１４を取り出し部４から取り出す。止め具１６を外して貯留部１３に溜まった排泄物を、排出部１４を通過させて排出口１４ａから排出する。【００５８】
このように、パウチ１２の下部部分のみを取り出し部４から取り出せば貯留部１３に溜まった排泄物を排出させることができるので、取り出す際に排泄物が溜まったパウチ１２を把持して持ち上げることでパウチ１２を変形させてしまい、排出口１４ａから排泄物を漏らす心配がない。【００５９】
このように下端開放型のストマ用装具１０を収納する場合を説明したが、密閉型のストマ用装具でも取り出し部４から手を入れて、挿通孔３から引き込むようにしてパウチを袋体２に入れて、収納することができる。密閉型のストマ用装具を収納する場合は、パウチに排出口が設けられていないので、取り出し部４からパウチを出して排出することはないが、上述したように取り出し部４から手を入れて容易にパウチを収納することができる。【００６０】
また、袋体２の上下方向の長さを、密閉型ストマ用装具のパウチの長さとすることで、排泄物が溜まって重たくなったパウチを、袋体２の下側の内側面で担持するので、下端開放型と同様、密閉型でもパウチを安定した状態とすることができる。【００６１】
更に、本実施の形態１ではフランジ１１が外れないワンピース型を例に説明したが、フランジがパウチから外れる２ピース型でも、同様に使用できる。【００６２】
（実施の形態２）
本発明の実施の形態２に係るストマ用装具のカバーについて、図６Ａ，図６Ｂおよび図７に基づいて説明する。図６Ａは、本発明の実施の形態２に係るストマ用装具のカバーを説明する図であり、挿通孔側から見た斜視図である。図６Ｂは、本発明の実施の形態２に係るストマ用装具のカバーを説明する図であり、パウチを取り出す取り出し部側から見た斜視図である。なお図６Ａ，図６Ｂおよび図７においては、図１Ａ，図１Ｂおよび図５と同じ機能を有するものは、同符号を付して説明を省略する。【００６３】
図６Ａ，図６Ｂおよび図７に示すように、本発明の実施の形態２に係るストマ用装具のカバー３０は、ポリエステルで形成されたメッシュ状の芯地３１を備えている。この芯地３１は、大きさが消臭面部２ｄとほぼ同じに形成されるとともに、半円形状の切り欠き部３１ａが形成され、ストマ側面部２ａの上部内側面に縫いつけられている。この芯地３１の切り欠き部３１ａが、ストマ用装具のパウチ１２とフランジ１１との連結部１７に嵌合して、芯地３１が連結部１７に担持されることで、芯地３１が連結部１７に立った状態で安定することができる。従って、パウチ１２に排泄物が溜まっていない状態でも、芯地３１が袋体２の型崩れを防止することができる。また、芯地３１は、袋体２の上部の変形を抑止することで、体表面２０に装着した状態では袋体２の下部の型崩れも防止することができるが、芯地３１を上部内側のみに設けているので、袋体２の下部が厚くなる分には規制されない。従って、多くの排泄物がパウチ１２の下部に溜まり、パウチ１２の下部の厚みが厚くなっても、袋体２の下部が容易に変形してパウチ１２の負荷にならない。【００６４】
また、芯地３１は、メッシュ状に形成することで、消臭作用を有する袋体２への通気性を確保している。本実施の形態２では、芯地３１をポリエステルで形成したものを採用したが、ある程度の保形性を有し、メッシュ状に形成できるものであれば、他の材質のものでも使用することができる。【００６５】
また、カバー３０の袋体２には、ストマ用装具１０のフランジ１１に接着する粘着シート３２が設けられている。この粘着シート３２は、シート自体が強い粘着性を有するゲル素材で形成され、カバー３０を洗浄しても粘着性が低下しにくい性質を有している。袋体２に粘着シート３２を貼り付ける場合には、袋体２の挿通孔３より上側に貼り付けるのが望ましい。袋体２の挿通孔３から下側は、カバー３０およびストマ用装具１０のそれぞれの自重で、体表面２０側へ接近するが、袋体２の挿通孔３の上側は、体表面２０から離れる応力が作用する。従って、袋体２の挿通孔３より上側に粘着シート３２を貼り付けると、体表面２０に密着した状態に装着されたフランジ１１と袋体２とが粘着シート３２で密着するので、袋体２と体表面２０とを密着した状態とすることができる。【００６６】
フランジ１１と袋体２とは粘着シート３２で接着された状態であるが、ストマ用装具１０を取り換えるときやカバー３０を洗浄するときに、フランジ１１と袋体２とを剥がす必要がある。そのときに、粘着シート３２がフランジ１１側に貼り付いた状態で離れると、フランジ１１から粘着シート３２を引き剥がす必要があり煩雑である。しかし、粘着シート３２がゲル素材で形成されているので、綿布で形成された袋体２とフランジ１１とを接着して使用していると、粘着シート３２が綿布の凹凸面に馴染み、フランジ１１側の接着面より強固に接着する。従って、使用者がカバー３０の上部とパウチのフランジ１１とを持って、カバー３０に接着したフランジ１１を引き離すと、粘着シート３２はカバー３０側に接着した状態でカバー３０とフランジ１１とが離れる。従って、容易にフランジ１１と袋体２との引き剥がしを行うことができ、カバー３０の洗浄や、ストマ用装具１０の交換が容易にできる。【００６７】
また、カバー３０には、クリップ３３が設けられている。ここでクリップ３３について図８に基づいて詳細に説明する。図８は、本発明の実施の形態２に係るストマ用装置のカバー３０が備えたクリップ３３を説明する斜視図である。【００６８】
図８に示すように、クリップ３３は、本体部３３ａと押圧カバー３３ｂとを備えている。本体部３３ａは、ステンレス鋼からなる平板部材の中心辺から折曲して所定幅を有する折曲部３３ｃが形成されている。この折曲部３３ｃの両端に上下挟持片３３ｄ，３３ｄが形成されているとともに、上下挟持片３３ｄ，３３ｄの先端を折曲部３３ｃの方へ向けてそれぞれ内方に折曲させた一対の押圧爪３３ｅ，３３ｅが対向するように形成されている。それら押圧爪３３ｅ，３３ｅ間で袋体２の上からパウチを狭持する。【００６９】
押圧カバー３３ｂは、本体部３３ａと同じくステンレス鋼から形成され、平板部材の中心部から折曲して所定幅を有する折曲部３３ｆが形成されているとともに、この折曲部３３ｆの両端から上下押圧片３３ｇ，３３ｇが形成されている。【００７０】
また、本体部３３ａの上下挟持片３３ｄ，３３ｄには、ガイド溝３３ｈが設けられており、このガイド溝３３ｈに、押圧カバー３３ｂに設けられたガイド爪３３ｊが前後にスライド可能に取り付けられている。【００７１】
このクリップ３３の本体部３３ａで、袋体２の上端部を挟み込み押圧カバー３３ｂをスライドさせる。本体部３３ａは押圧カバー３３ｂの弾性力で押圧されることで、本体部３３ａの上下狭持片３３ｄ，３３ｄが袋体２を狭持して、収納するパウチを規制する。クリップ３３を取り付ける位置としては、パウチに排泄物が下部から溜まってくるので、上端部に取り付けるのが望ましい。【００７２】
このように、袋体２に芯地３１やクリップ３３を設けることで、パウチ１２に排泄物が溜まっていなくても、袋体２の型崩れを防止することができる。【００７３】
（実施の形態３）
本発明の実施の形態３に係るストマ用装置のカバーを、図９Ａ，図９Ｂおよび図１０に基づいて説明する。図９Ａは、本発明の実施の形態３に係るストマ用装具のカバーを説明する図であり、挿通孔側から見た斜視図である。図９Ｂは、本発明の実施の形態３に係るストマ用装具のカバーを説明する図であり、パウチを取り出す取り出し部側から見た斜視図である。図１０は、ストマ用装具を本発明の実施の形態３に係るカバーに収納してストマに装着した状態の断面図である。なお、図９Ａ，図９Ｂおよび図１０においては、図１Ａ，図１Ｂおよび図５と同じ機能を有するものは、同符号を付して説明を省略する。【００７４】
図９Ａ，図９Ｂおよび図１０に示すように、本実施の形態３に係るカバー４０は、袋体４１の取り出し部４が形成された側の面が、体表面２０に対して外側に向かって膨らむように形成されている。つまり、挿通孔３が設けられた面であるストマ側面部２ａに、立体裁断した外側上面部４１ａとその下側に位置する外側下面部４１ｂとを縫合することで、ストマ側面部２ａ側は体表面２０に対して平面で、その反対側となる面が体表面２０に対して外側に膨らむように形成された袋体４１とすることができる。【００７５】
外側上面部４１ａと外側下面部４１ｂとを立体裁断しているので、ストマ側面部２ａの周囲に縫合するときには、外側上面部４１ａと外側下面部４１ｂとのそれぞれの周囲にギャザーを入れながら縫合する。【００７６】
このように、袋体４１を形成することで、パウチ１２に排泄物が溜まって厚みが厚くなっても、パウチ１２が袋体４１を押し上げるように膨れないので、パウチ１２に多くの排泄物が溜まったとしてもパウチ１２に負担がかかることが防止できる。
【産業上の利用可能性】
【００７７】
本発明は、体に設けられたストマからの排泄物を溜めることができ、下端開放型や密閉型、ワンピース型や２ピース型のストマ用装具に好適である。
【図１Ａ】
2006016547.tif 000002
【図１Ｂ】
2006016547.tif 000003
【図２Ａ】
2006016547.tif 000004
【図２Ｂ】
2006016547.tif 000005
【図３】
2006016547.tif 000006
【図４】
2006016547.tif 000007
【図５】
2006016547.tif 000008
【図６Ａ】
2006016547.tif 000009
【図６Ｂ】
2006016547.tif 000010
【図７】
2006016547.tif 000011
【図８】
2006016547.tif 000012
【図９Ａ】
2006016547.tif 000013
【図９Ｂ】
2006016547.tif 000014
【図１０】
2006016547.tif 000015
【国際調査報告】
2006016547.tif 000016
2006016547.tif 000017
2006016547.tif 000018
2006016547.tif 000019